(57)【要約】【課題】本発明の課題は、被検生体に計測装置を付けることなく、被検生体の脳波、心電、筋電等の生体情報をノイズの混入や電気信号の劣化を抑えてリアルタイムに精度良く測定できる被検生体情報計測用手袋型装具を提供することである。【解決手段】被検生体の生体情報を計測するために計測者が装着する手袋型装具であって、手袋の少なくとも２本の指の掌側に、伸縮性を有する電極部を備えることを特徴とする被検生体情報計測用手袋型装具。【選択図】図６
2019180862.tif 000002
【特許請求の範囲】
【請求項１】
被検生体の生体情報を計測するために計測者が装着する手袋型装具であって、手袋の少なくとも２本の指の掌側に、伸縮性を有する電極部を備えることを特徴とする被検生体情報計測用手袋型装具。
【請求項２】
手袋の手の甲側に電子デバイス接続用端子部を備え、前記電極部と前記端子部を電気的に接続する伸縮性を有する配線部を備えることを特徴とする請求項１に記載の被検生体情報計測用手袋型装具。
【請求項３】
前記配線部が、前記端子部側から各指の前記電極部側に向けて分岐した形状を少なくとも有することを特徴とする請求項２に記載の被検生体情報計測用手袋型装具。
【請求項４】
前記伸縮性を有する電極部と前記伸縮性を有する配線部に用いる導電性材料が同一の材料で構成され、前記電極部と前記配線部が一体として形成されていることを特徴とする請求項２または３に記載の被検生体情報計測用手袋型装具。
【請求項５】
一の指に設けられている一の電極部と、他の指に設けられている他の電極部とが互いに導通していることを特徴とする請求項１から４のいずれか１項に記載の被検生体情報計測用手袋型装具。
【請求項６】
前記導電性材料が導電性微粒子と柔軟性樹脂バインダーを少なくとも構成成分とする材料からなり、前記電極部と前記配線部がシート状に一体として形成されていることを特徴とする請求項４または５に記載の被検生体情報計測用手袋型装具。
【請求項７】
前記電極部と前記配線部が一体に形成されたシートの伸長率１０％における伸長時の荷重が３Ｎ以上１００Ｎ以下であることを特徴とする請求項６に記載の被検生体情報計測用手袋型装具。
【請求項８】
前記電極部と前記配線部が一体に形成されたシートの伸長率２０％における電気抵抗の変化が５倍未満であることを特徴とする請求項６または７に記載の被検生体情報計測用手袋型装具。
【請求項９】
前記導電性材料が導電性繊維複合素材を少なくとも構成成分とする材料からなり、前記電極部と前記配線部がファブリック状に一体として形成されていることを特徴とする請求項４または５に記載の被検生体情報計測用手袋型装具。
【請求項１０】
前記電極部と前記配線部が一体に形成されたファブリックの伸長率１０％における伸長時の荷重が３Ｎ以上１００Ｎ以下であることを特徴とする請求項９に記載の被検生体情報計測用手袋型装具。
【請求項１１】
前記電極部と前記配線部が一体に形成されたファブリックの伸長率２０％における電気抵抗の変化が５倍未満であることを特徴とする請求項９または１０に記載の被検生体情報計測用手袋型装具。
【請求項１２】
手袋生地に対して、少なくとも電極部の周囲１ｍｍ幅の部分に、マイクロファイバーを含む布生地を用いる事を特徴とする請求項１から１１のいずれかに記載の被検生体情報計測用手袋型装具。
【請求項１３】
縫製前の、手袋型装具または電極部に相当する部位にマイクロファイバーを配置した手袋型装具上に、接着性絶縁層、伸縮性を有する電極部及び伸縮性を有する配線部を一体として形成しているシート又はファブリック、表面絶縁層をこの順に積層して取り付け、前記手袋型装具を縫製することを特徴とする請求項１から１２のいずれか１項に記載の被検生体情報計測用手袋型装具の製造方法。
【請求項１４】
計測者が生体情報をモニターしながら電極位置をリアルタイムで探ることにより、生体情報に適した電極位置を把握することを特徴とする請求項１から１２のいずれか１項に記載の被検生体情報計測用手袋型装具を用いた生体情報計測方法。
【発明の詳細な説明】
【技術分野】
【０００１】
本発明は動物等の被検生体の生体情報を精度良く測定することが出来る被検生体情報計測用手袋型装具、その製造方法、および生体情報計測方法に関するものである。詳しくは、装着者の指の動作を妨げることなく、被検生体の皮膚に電極を接触させながら、被検生体にストレスを与えることなく生体内部の微弱な電気信号を計測することが出来る被検生体情報計測用手袋型装具、その製造方法、および生体情報計測方法に関するものである。
【背景技術】
【０００２】
被検生体から生体情報を測定するために測定者が装着する手袋型の装置に関しては、特許文献１で示される生体組織へおよび生体組織から電気エネルギーを移動させるための装置がある。この装置では体液不浸透性のエラストマー物質の手袋の一指に固定された一対の電極を通して、医療行為において生体組織へと電気的エネルギーを印加したり、生体組織から電気的エネルギーを移動させたりするが、一指の先端に一対の電極を配することから、一指の先端の範囲に限定される生体組織の情報を測定することが出来るが、脳波、心電、筋電等のより広い範囲からの生体情報を得るには適さない。
【０００３】
一方、特許文献２では、体毛を有するイヌ等の動物の生体情報を計測するために、動物に装着する生体情報モニター用固定具が開示されている。具体的には、この固定具を用いて、イヌの心電測定において、胸部に（−）電極、（＋）電極、アース電極の３極を粘着パッドを利用して検出部位に固定し、さらに固定具により電極に外部から力を加えて適度に圧迫することにより体毛を有する動物であっても、電極間の回路を形成し心電図等の生体情報を良好にモニターする方法が開示されている。ここでは、各電極を所定の位置に固定するため、生体情報に適した位置を把握する専門性を必要とし、動物の個体差等の要因から電極の貼り直しを必要とする場合があり、動物に負担を与える恐れがある。
【０００４】
また、特許文献３では、計測者が電極を指先に装着することにより、動物等の被検生体へのストレスを軽減し、各指先の電極で体毛を掻き分けて特定の位置に配することで計測を可能としている。このように電極を固定せずに測定しようとする場合、インピーダンス変動や摩擦帯電により計測信号にノイズが混入する恐れがある。また、ここではコードを用いて電極と端子を接続しているが、計測時にコードにより指の動作が妨げられ、手袋の脱着時にコードが絡まったり断線したりする恐れがある。
【先行技術文献】
【特許文献】
【０００５】
【特許文献１】特開昭６１−２１７１７２号公報
【特許文献２】特開２００６−１４１４６７号公報
【特許文献３】特開２００６−１４９５６２号公報
【発明の概要】
【発明が解決しようとする課題】
【０００６】
他方、特許文献１〜３の技術では、電極部が伸縮性を有することが教示されておらず、電極部が被検生体の皮膚面に追随して生体信号を適切に捕捉できることを教示していない。
本発明は、かかる従来技術の課題を背景になされたものである。すなわち、本発明の第一の目的は、被検生体に計測装置を付けることなく、被検生体の脳波、心電、筋電等の生体情報をノイズの混入や電気信号の劣化を抑えてリアルタイムに精度良く測定できる被検生体情報計測用手袋型装具を提供することである。
【０００７】
また、本発明の第二の目的は、一般的な手袋と同等の装着性と、繰返し着脱しても生体情報測定の機能を失わない被検生体情報計測用手袋型装具とその製造方法を提供することである。
本発明の第三の目的は、動物等の被検生体へのストレスや負担を軽減しながら、電極位置をリアルタイムで探ることにより、予め生体情報に適した電極位置を把握する専門性を必要とせずに測定を可能にする生体情報計測方法を提供することである。
【課題を解決するための手段】
【０００８】
本発明者らは鋭意検討した結果、以下に示す手段により、上記課題を解決できることを見出し、本発明に到達した。
すなわち、本発明は、以下の構成からなる。
［１］被検生体の生体情報を計測するために計測者が装着する手袋型装具であって、手袋の少なくとも２本の指の掌側に、伸縮性を有する電極部を備えることを特徴とする被検生体情報計測用手袋型装具。
［２］手袋の手の甲側に電子デバイス接続用端子部を備え、前記電極部と前記端子部を電気的に接続する伸縮性を有する配線部を備えることを特徴とする［１］に記載の被検生体情報計測用手袋型装具。
［３］前記配線部が、前記端子部側から各指の前記電極部側に向けて分岐した形状を少なくとも有することを特徴とする［２］に記載の被検生体情報計測用手袋型装具。
［４］前記伸縮性を有する電極部と前記伸縮性を有する配線部に用いる導電性材料が同一の材料で構成され、前記電極部と前記配線部が一体として形成されていることを特徴とする［２］または［３］に記載の被検生体情報計測用手袋型装具。
［５］一の指に設けられている一の電極部と、他の指に設けられている他の電極部とが互いに導通していることを特徴とする［１］から［４］のいずれかに記載の被検生体情報計測用手袋型装具。
［６］前記導電性材料が導電性微粒子と柔軟性樹脂バインダーを少なくとも構成成分とする材料からなり、前記電極部と前記配線部がシート状に一体として形成されていることを特徴とする［４］または［５］に記載の被検生体情報計測用手袋型装具。
［７］前記電極部と前記配線部が一体に形成されたシートの伸長率１０％における伸長時の荷重が３Ｎ以上１００Ｎ以下であることを特徴とする［６］に記載の被検生体情報計測用手袋型装具。
［８］前記電極部と前記配線部が一体に形成されたシートの伸長率２０％における電気抵抗の変化が５倍未満であることを特徴とする［６］または［７］に記載の被検生体情報計測用手袋型装具。
［９］前記導電性材料が導電性繊維複合素材を少なくとも構成成分とする材料からなり、前記電極部と前記配線部がファブリック状に一体として形成されていることを特徴とする［４］または［５］に記載の被検生体情報計測用手袋型装具。
［１０］前記電極部と前記配線部が一体に形成されたファブリックの伸長率１０％における伸長時の荷重が３Ｎ以上１００Ｎ以下であることを特徴とする［９］に記載の被検生体情報計測用手袋型装具。
［１１］前記電極部と前記配線部が一体に形成されたファブリックの伸長率２０％における電気抵抗の変化が５倍未満であることを特徴とする［９］または［１０］に記載の被検生体情報計測用手袋型装具。
［１２］手袋生地に対して、少なくとも電極部の周囲１ｍｍ幅の部分に、マイクロファイバーを含む布生地を用いる事を特徴とする［１］から［１１］のいずれかに記載の被検生体情報計測用手袋型装具。
［１３］縫製前の、手袋型装具または電極部に相当する部位にマイクロファイバーを配置した手袋型装具上に、接着性絶縁層、伸縮性を有する電極部及び伸縮性を有する配線部を一体として形成しているシート又はファブリック、表面絶縁層をこの順に積層して取り付け、前記手袋型装具を縫製することを特徴とする［１］から［１２］のいずれかに記載の被検生体情報計測用手袋型装具の製造方法。
［１４］計測者が生体情報をモニターしながら電極位置をリアルタイムで探ることにより、生体情報に適した電極位置を把握することを特徴とする［１］から［１２］のいずれかに記載の被検生体情報計測用手袋型装具を用いた生体情報計測方法。
【発明の効果】
【０００９】
本発明によれば、被検生体に計測装置を付けることなく、被検生体の脳波、心電、筋電等の生体情報をノイズの混入や電気信号の劣化を抑えてリアルタイムに精度良く測定できる。また、本発明によれば、動物等の被検生体へのストレスや負担を軽減しながら、電極位置をリアルタイムで探ることにより、予め生体情報に適した電極位置を把握する専門性を必要とせずに測定を可能にする。更に、本発明によれば、一般的な手袋と同等の装着性と、繰返し着脱しても生体情報測定の機能を失わない。
【００１０】
本発明は、計測者の手が被検生体の皮膚に接触する状況を念頭に置き適用されるもので、医師の患者診察、獣医の動物診察などの医療行為のみならず、日常生活における乳幼児、愛玩動物の簡易診断にも適用される。生体情報を計測する場合、測定環境や器具に応じて被検生体の心理状態および生理状態が変化し計測値が変化することがあるが、本発明によれば、計測者自身が着用して被検生体の心理状態や生理状態を変化させることがほぼないことから、安定して計測することが可能となる。
【００１１】
本発明によれば、装着時に指関節の動作を妨げず、被検生体の皮膚への追随性が良好で、装着者および被検生体が装具を特段に意識せずに使用され、さらにインピーダンス変動や摩擦帯電による計測信号のノイズが抑えられる。
【００１２】
また、本発明によれば、装着時に電極部又は配線部が断線することなく速やかに装着することが出来、日常生活における生体情報を精度よく測定できる。
【００１３】
さらに、本発明によれば、電極部近傍にマイクロファイバーを含む布生地を用いる事により、電極部の滑りが抑制され、生体との安定した電気的接触を得ることができる。
【図面の簡単な説明】
【００１４】
【図１】図１は、被検生体情報計測用手袋型装具に用いられる接着性絶縁層の平面図を示す。
【図２】図２は、被検生体情報計測用手袋型装具に用いられる縫製前の手袋用基材の平面図を示す。
【図３】図３は、被検生体情報計測用手袋型装具に用いられる電極部と配線部を含む導電層（導電性シート）の平面図を示す。
【図４】図４は、被検生体情報計測用手袋型装具に用いられる表面絶縁層の平面図を示す。
【図５】図５は、縫製前の被検生体情報計測用手袋型装具の一例である平面図を示す。
【図６】図６は、縫製後の被検生体情報計測用手袋型装具の一例である図を示す。
【図７】図７は、縫製前の被検生体情報計測用手袋型装具の他の例である平面図を示す。
【図８】図８は、縫製前の被検生体情報計測用手袋型装具の別の例である平面図を示す。
【発明を実施するための形態】
【００１５】
以下、本発明の実施形態の被検生体情報計測用手袋型装具、その製造方法、およびそれを用いた生体情報計測方法について説明する。
【００１６】
本発明の被検生体情報計測用手袋型装具は、被検生体の生体情報を計測するために計測者が装着する手袋型装具であって、手袋の少なくとも２本の指の掌側に、被検生体の皮膚に接触するための伸縮性を有する電極部を備える。
伸縮性を有する電極部は被検生体の皮膚への追随性に優れ、皮膚に沿って電極部を移動させても接触インピーダンス変化が少ないことが特徴である。
本発明において、掌側、手の甲側は手袋における掌側、手の甲側を指すものであり、掌側、手の甲側と略することがある。
【００１７】
電極部は、被検生体と接触して生体情報を計測する観点から、手袋の少なくとも２本の指の掌側に存在しており、手袋の５本の指の掌側に存在していてもよい。
電極部の各々は、一対または一組となっていてもよい。
電極部の各々の一対とは、＋側電極部及び−側電極部を含むことを表す。電極部の各々の一組とは、＋側電極部、−側電極部のみならず、参照電極部（例えばアース電極部）を含むことを表す。
＋側電極部及び−側電極部の一方又は両方は、２つ以上の電極部を有することが好ましく、＋側電極部及び−側電極部の両方は、２つの電極部を有することがより好ましい。
＋側電極部及び−側電極部はそれぞれ、一の指の掌側に１つ存在することが好ましいが、同一電極部が一の指の掌側に複数存在してもよい。
＋側電極部及び−側電極部はそれぞれ、複数の指の掌側に存在することが好ましく、（ｉ）親指と人差し指、（ｉｉ）親指と中指、（ｉｉｉ）人差し指と中指、（ｉｖ）中指と薬指、（ｖ）薬指と小指のいずれかの掌側に存在することがより好ましい。＋側電極部と−側電極部は、同じ指が重複しないように（ｉ）〜（ｖ）から選択すればよい。
電極部は、掌側の指において、末節の一部又は全体に形成されてもよく、末節のみならず中節又は基節まで形成されていてもよい。
【００１８】
電極部は、心電図等生体の電気的情報を検知するために必要な面積を有するものであればよく、各電極部の面積はいずれも０．５ｃｍ2以上であることが好ましく、さらに好ましくは１ｃｍ2以上であり、上限値は各指の面積に制限されるが、例えば１０ｃｍ2程度であればよい。
【００１９】
本発明の実施形態の被検生体情報計測用手袋型装具において用いられる手袋用の基材には、伸縮可能な基材を用いることが好ましく、伸縮可能な基材としては、例えば伸縮性のある樹脂を用いたシートや不織布、繊維素材を織り又は編み合わせた生地、さらに不織布や生地に伸縮性のある樹脂材料をコーティングした複合シートなどを用いることが出来る。前記基材は、例えば、ナイロン糸とウレタン糸の混合物であるトリコット生地であってもよい。
【００２０】
さらに本発明では、手袋用の基材に対して、マイクロファイバーを含む布生地を用いる事が好ましい。マイクロファイバーを含む布生地は手袋に対して少なくとも電極部の周囲１ｍｍ幅の部分、好ましくは周囲幅３ｍｍの部分に用いる事が好ましい。もちろんマイクロファイバーを含む布生地を手袋の全外面に用いても良い。
本発明におけるマイクロファイバーとは太さが例えば２μｍ以下、好ましくは１．２μｍ以下、なお好ましくは０．８μｍ以下の繊維であり、素材としてはポリエステル、ポリアクリルアミドなどが好ましい。かかるマイクロファイバーないしマイクロファイバーを含む布生地としては、トレシー（商品名：東レ株式会社製）、ベリーマ（商品名：セーレン株式会社製）、ナノフロント（商品名：帝人株式会社製）等を例示することができる。
【００２１】
本発明の被検生体情報計測用手袋型装具は、さらに手袋の手の甲側に電子デバイス接続用端子部を備え、電極部と端子部を電気的に接続する伸縮性を有する配線部を備える。
配線部は、掌側に存在してもよく、掌側から手の甲側に存在してもよい。伸縮性を有する配線部は装着者の指関節の動作を妨げることなく、目的とする生体情報に適した電極位置を探るのに適する。
【００２２】
端子部は、手の甲側に存在することが好ましく、電子デバイスと接続されていることが好ましい。電子デバイスは電極部、配線部、端子部を介して検知した信号を受信する機能を少なくとも有し、さらに信号を記録する機能、信号を処理する機能、信号を電子デバイスのモニターに表示する機能、ＷｉＦｉやＢｌｕｅｔｏｏｔｈ（登録商標）等で外部の処理モニター機器に無線送信をする機能のいずれかまたは複数を備えていてもよい。電子デバイスは被検生体との接触を避けるために手の甲側に取り付けることが好ましく、電子デバイス接続用端子部も手の甲側に備えられ、端子部の数は対応する電子デバイスの端子数に一致することが好ましい。
【００２３】
配線部は、端子部側から各指の電極部側に向けて分岐した形状を少なくとも有することが好ましい。
【００２４】
配線部は、（ｉ）端子部側から親指及び人差し指の電極部側に向けて分岐した形状を有することがより好ましく、（ｉｉ）端子部側から親指及び中指の電極部側に向けて分岐した形状を有することがより好ましく、（ｉｉｉ）端子部側から人差し指及び中指の電極部側に向けて分岐した形状を有することがより好ましく、（ｉｖ）端子部側から中指及び薬指の電極部側に向けて分岐した形状を有することがより好ましく、（ｖ）端子部側から薬指及び小指の電極部側に向けて分岐した形状を有することがより好ましい。勿論、＋側電極部及び−側電極部がそれぞれ一指に存在することを考慮すれば、＋側電極部と−側電極部はそれぞれ、同一の指が重複しないように（ｉ）〜（ｖ）から選択すればよい。
例えば一電極部が前記（ｉ）である場合、他電極部は、前記（ｉｖ）または前記（ｖ）のいずれかであればよい。
【００２５】
配線部は、一端子部側から親指及び人差し指の電極部側に向けて分岐した形状を有することがさらに好ましく、他端子部側から中指及び薬指の電極部側に向けて分岐した形状を有することがさらに好ましい。
【００２６】
＋側電極部と−側電極部のいずれかが、分岐した形状を有する配線部と接続されてもよく、残りの電極部（参照電極部を含む）は、分岐していない配線部と接続されていてもよい。
配線部上の分岐部分は、電極部と配線部が各指の掌側に存在するように、指側に形成されていないことが好ましく、掌部分に形成されていることが好ましい。
【００２７】
本発明の被検生体情報計測用手袋型装具に用いる伸縮性を有する電極部と伸縮性を有する配線部は同一の導電性材料で構成され、電極部と配線部が一体として形成されている。
一体として形成されているとは、電極部と配線部のつなぎ目がないような状態を示す。
電極部と配線部を個別に形成した場合、接合部を接着剤や導電性糸等で結合する必要があり、接合部の平坦さが損なわれて被検生体の皮膚への追随性に劣る。また、電極部と配線部を異種の導電性材料で構成した場合、接合部の強度が不足して、装着を繰り返すことで接合部が断線する恐れがある。
【００２８】
上記の通り、配線部は、端子部側から各指の電極部側に向けて分岐した形状を少なくとも有することが好ましいが、換言すれば、一の指に設けられている一の電極部と、他の指に設けられている他の電極部とが互いに導通していることが好ましい。従来の配線部は、各指の電極部に対して同等の数が必要であったが、このように電極部同士を導通させると配線部の数を減らすことができ、被検生体からの信号を同時により多く計測でき、結果として、ノイズの混入や電気信号の劣化を抑えてリアルタイムに精度良く測定することができる。
【００２９】
本発明における伸縮性を有する電極部と伸縮性を有する配線部は第一の材料構成および形態として、導電性材料が導電性微粒子と柔軟性樹脂バインダーを少なくとも構成成分とする材料からなり、電極部と配線部がシート状に一体として形成されていることが好ましい。電極部と配線部がシート状に一体として形成されたものは、導電性シートともいう。
【００３０】
本発明における導電性微粒子は金属系微粒子および／または炭素系微粒子であることが好ましい。
【００３１】
金属系微粒子としては、銀、金、白金、パラジウム、銅、ニッケル、アルミニウム、亜鉛、鉛、錫などの金属粒子、黄銅、青銅、白銅、半田などの合金粒子、銀被覆銅のようなハイブリッド粒子、さらには金属メッキした高分子粒子、金属メッキしたガラス粒子、金属被覆したセラミック粒子などを用いることができる。
【００３２】
炭素系微粒子としては、グラファイト粉末、活性炭粉末、鱗片状黒鉛粉末、アセチレンブラック、ケッチェンブラック、フラーレン、カーボンナノチューブなどを用いることができる。導電性微粒子は１種のみであってもよいし２種以上であってもよい。
中でも、金属系微粒子がより好ましく、銀粒子がさらに好ましい。
【００３３】
導電性微粒子の好ましい形状としては、フレーク状（リン片状）、球状、樹枝状（デンドライト状）、凝集状（球状の１次粒子が３次元状に凝集した形状）、繊維状などを挙げることができる。これらの中で、フレーク状、球状、凝集状、繊維状がシート伸長時の電気特性を維持する点で特に好ましい。
【００３４】
導電性微粒子の粒子径は、平均粒子径が０．５〜１０μｍであることが好ましく、１〜７μｍであることがより好ましい。平均粒子径が大きすぎると、シート伸長時に破断し易くなる場合がある。一方、平均粒子径が小さすぎると、導電層形成時に導電性微粒子が凝集し易くなり、また粒子径が小さくなるに伴い原料コストが上昇するため好ましくない。
【００３５】
本発明における柔軟性樹脂バインダーは熱可塑性樹脂、熱・光硬化性樹脂、ゴム・エラストマーなどから挙げられる樹脂で室温にて伸縮性を有する樹脂であることが好ましい。熱可塑性樹脂としては、低密度ポリエチレン、エチレン・酢酸ビニル共重合体、ポリオレフィン、ポリ塩化ビニル、ポリ塩化ビニリデン、共重合ポリエステルなどを用いることができる。熱・光硬化性樹脂としてはアクリル樹脂、シリコン樹脂、ポリウレタン樹脂などを用いることができる。ゴム・エラストマーとしては天然ゴム、ポリイソプレンゴム、スチレンブタジエンゴム、スチレンブタジエンエラストマー、スチレンイソプレンエラストマー、ポリブタジエンエラストマー、ポリブタジエンエラストマー、ポリブタジエンゴム、クロロプレンゴム、ブチルゴム、ハロゲン化ブチルゴム、アクリロニトリルブタジエンゴム、アクリロニトリルブタジエンイソプレンゴム、エチレン・プロピレンゴム、クロロスルホン化ポリエチレンゴム、アクリルゴム、ウレタンゴム、シリコーンゴム、フッ素ゴム、ネオプレンなどを用いることが出来る。柔軟性樹脂バインダーは１種のみであってもよいし２種以上であってもよい。この中では導電性微粒子との密着性と伸縮性を発現させるためにゴム・エラストマーを用いることが好ましく、アクリロニトリルブタジエンゴムがより好ましい。アクリロニトリルブタジエンゴムは、３０〜７０質量％のアクリロニトリルを含むことが好ましい。
【００３６】
柔軟性樹脂バインダーに対する導電性微粒子の配合量は電気抵抗と伸縮性を考慮して決定され、樹脂バインダーに対する体積％が大きいと電気抵抗は低くなり電気信号の劣化が抑えられるが、伸縮性が下がり、手袋を装着しにくく、計測時に指関節の動作が妨げられる。一方、体積％が小さいと伸縮性が上がるが、電気抵抗が高くなり電気信号が劣化する。両者の特性のバランスを取る上で導電性微粒子の柔軟性樹脂バインダーに対する配合量は２０〜６０体積％が好ましい。
【００３７】
導電性シートの構成成分は上記の導電性微粒子と柔軟性樹脂バインダーのほかに、機械的特性、耐熱性、耐久性、耐湿性、耐水性を得るために、必要な特性を損なわない範囲で、絶縁性微粒子を含んでいてもよい。
絶縁性微粒子は有機系ないし無機系の絶縁性物質からなる微粒子であり、有機系絶縁性微粒子としては、アクリル樹脂系微粒子、スチレン樹脂系微粒子、メラミン樹脂系微粒子などの樹脂系微粒子を用いることができる。無機系絶縁性微粒子としては、シリカ、アルミナ、ジルコニア、タルク、炭化ケイ素、マグネシア、窒化ホウ素などのセラミックス系微粒子や、リン酸カルシウム、リン酸マグネシウム、硫酸バリウム、硫酸カルシウムなどの水に難溶な塩の微粒子を用いることができる。絶縁系微粒子は１種のみであってもよいし２種以上であってもよい。
【００３８】
本発明における導電性シートは、導電性微粒子と樹脂バインダー、絶縁性微粒子の他に、水または有機溶剤を含んだ導電性ペーストを塗布または印刷などの手段によって形成される。水または有機溶剤の含有量は、導電性微粒子の分散方法や、導電性シート形成方法に適合する導電性ペーストの粘度や乾燥方法などによって決められるほか、塗布後の導電性微粒子の連鎖構造形成状態や皮膜層の伸縮性を左右する。水または有機溶剤の含有量は、特に限定はされないが、導電性微粒子、樹脂バインダーと溶剤の合計質量を１００％とした場合に２０〜６０質量％であることが好ましい。２０質量％未満の場合には粘度が高くなり塗工や印刷に適さず、導電性微粒子の連鎖構造が不均一になり導電性や伸縮性が低下する。一方、６０質量％を超える場合には、乾燥硬化塗膜中の残溶剤量が多くなり、塗膜の信頼性低下を引き起こす懸念がある。
【００３９】
導電性ペーストに用いる有機溶剤は、沸点が１００℃以上、３３０℃未満であることが好ましい。有機溶剤の沸点が低すぎると、ペースト製造工程やペースト使用時に溶剤が揮発し、ペーストを構成する成分比が変化しやすい懸念があり、有機溶剤の沸点が高すぎると、乾燥硬化塗膜中の残溶剤量が多くなり、塗膜の信頼性低下を引き起こす懸念がある。
【００４０】
このような有機溶剤としては、シクロヘキサノン、トルエン、イソホロン、γ−ブチロラクトン、ベンジルアルコール、エクソン化学製のソルベッソ１００、１５０、２００、プロピレングリコールモノメチルエーテルアセテート、ターピオネール、ブチルグリコールアセテート、ジアミルベンゼン（沸点：２６０〜２８０℃）、トリアミルベンゼン（沸点：３００〜３２０℃）、ｎ−ドデカノール（沸点：２５５〜２９℃）、ジエチレングリコール（沸点：２４５℃）、エチレングリコールモノエチルエーテルアセテート（沸点：１４５℃）、ジエチレングリコールモノエチルエーテルアセテート（沸点２１７℃）、ジエチレングリコールモノブチルエーテルアセテート（沸点：２４７℃）、ジエチレングリコールジブチルエーテル（沸点：２５５℃）、ジエチレングリコールモノアセテート（沸点：２５０℃）、トリエチレングリコールジアセテート（沸点：３００℃）、トリエチレングリコール（沸点：２７６℃）、トリエチレングリコールモノメチルエーテル（沸点：２４９℃）、トリエチレングリコールモノエチルエーテル（沸点：２５６℃）、トリエチレングリコールモノブチルエーテル（沸点：２７１℃）、テトラエチレングリコール（沸点：３２７℃）、テトラエチレングリコールモノブチルエーテル（沸点：３０４℃）、トリプロピレングリコール（沸点：２６７℃）、トリプロピレングリコールモノメチルエーテル（沸点：２４３℃）、２，２，４−トリメチル−１，３−ペンタンジオールモノイソブチレート（沸点：２５３℃）などが挙げられ、必要に応じてそれらの２種以上が含まれてもよい。このような有機溶剤は、導電性ペーストが塗布や印刷などに適した粘度となるように適宜含有される。
【００４１】
また、導電性シートを形成するために用いられる導電性ペーストには、塗布印刷特性を得るために、必要な特性を損なわない範囲で、チキソ性付与剤、レベリング剤、可塑剤、消泡剤などを配合することができる。導電性ペーストは、微粒子を液体に分散させる従来公知の方法を用いることによって樹脂中に導電性微粒子を均一に分散することにより調製する。例えば、微粒子の分散液、樹脂溶液を混合した後、超音波法、ミキサー法、３本ロールミル法、ボールミル法などで均一に分散する。これらの手段は、複数を組み合わせて使用することも可能である。
【００４２】
導電性ペーストから導電性シートを形成する工程は、特に限定されないが、例えば、コーティング法、印刷法などによって行うことができる。印刷法としては、スクリーン印刷法、平版オフセット印刷法、インクジェット法、フレキソ印刷法、グラビア印刷法、グラビアオフセット印刷法、スタンピング法、ディスペンス法、スキージ印刷などが挙げられる。
【００４３】
塗布された導電性ペーストを加熱・乾燥する工程は、大気下、真空雰囲気下、不活性ガス雰囲気下、還元性ガス雰囲気下などで行うことができ、有機溶剤が揮散され、場合により加熱下で硬化反応が進行し、乾燥後の導電性シートの電気抵抗や伸縮性が良好となる。大気下における加熱温度は５０〜２００℃の範囲、加熱時間は１０〜９０分の範囲で行い、導電性シートの電気抵抗や伸縮性、樹脂バインダーの耐熱性、有機溶剤の沸点などを考慮して低温長時間ないし高温短時間の組合せから選択される。５０℃未満ないし１０分未満では溶剤が塗膜中に残留し、所望の電気抵抗や伸縮性が得られず、２００℃を超える、ないし９０分を超える場合には、樹脂バインダーの劣化や架橋により所望の伸縮性が得られず、コスト増加を招く。また、導電性シートは、シートの特性を損なわない範囲で異種の導電性ペーストを複数回に渡ってコーティングや印刷を繰り返した積層導電性シートであってもよい。
【００４４】
導電性シートの電極部及び配線部には、手袋用基材との接着面側に絶縁層を有することが好ましく、接着剤層が絶縁層を兼ねても良い。また配線部には表面側に絶縁層を有することが好ましい。手袋用基材との接着面側に設ける絶縁層は、装着者の体表面電位による電気信号ノイズを抑えることが出来、また、配線部の表面側の絶縁層は他の配線部との接触を避け、導電性シート表面を保護する効果がある。
【００４５】
絶縁層は導電性シートの伸縮性を損なわないように、伸縮性を有する素材であれば特に制限されるものではないが、例えば柔軟性樹脂バインダーで例示した室温にて伸縮性を有する樹脂を用いることが出来る。絶縁層には、ホットメルトウレタンやウレタンなどのシートを用いてもよい。
【００４６】
本発明における導電性微粒子と柔軟性樹脂バインダーを少なくとも構成成分とする材料からなり、電極部と配線部がシート状に一体として形成されたシート（導電性シート）は、伸長率１０％における伸長時の荷重が３Ｎ以上１００Ｎ以下であることが好ましく、１０Ｎ以上８０Ｎ以下であることがより好ましい。荷重が３Ｎ未満の場合には、容易に引き伸ばされて導電性シートを手袋基材に取り付ける時にシワが入り好ましくない。一方、荷重が１００Ｎを超える場合は、被検生体の皮膚への電極部の追随性が悪化し、また、手袋を装着しにくくなり、計測時に指関節の動作が妨げられて好ましくない。伸長時荷重は、ＪＩＳ  Ｋ７１６１−１（２０１２）プラスチック−引張特性の求め方−第１部に基づいて測定すればよい。
【００４７】
本発明における導電性微粒子と柔軟性樹脂バインダーを少なくとも構成成分とする材料からなり、電極部と配線部がシート状に一体として形成されたシート（導電性シート）は、伸長率２０％における電気抵抗の変化が５倍未満であることが好ましく、３倍以下であることがより好ましい。従来の伸縮性を有しない導電性シートは伸長率２０％になるまでの段階で断線することがあり、伸長率２０％まで伸長できたとしても、抵抗変化が１０倍を超えて著しい導電性の低下を生じて、生体情報計測が困難となる。
【００４８】
本発明における伸縮性を有する電極部と伸縮性を有する配線部は第二の材料構成および形態として、導電性材料が導電性繊維複合素材を少なくとも構成成分とする材料からなり、電極部と配線部がファブリック状に一体として形成されていることが好ましい。電極部と配線部がファブリック状に一体として形成されたものは、導電性ファブリックともいう。
【００４９】
本発明における導電性ファブリックとは、導電性を有する繊維構造体である。本発明における導電性ファブリックとしては、少なくとも導電性の糸ないし繊維を含む繊維材料から構成された繊維構造体を用いる事ができる。また本発明では、非導電性の繊維構造体に導電性を付与する処理を施した繊維構造体を用いる事ができる。本発明における導電性ファブリックとしては、例えば、導電糸（導電性糸、導電性繊維を含む意味。以下、同じ。）を含む繊維で構成された織物、編み物、不織布が挙げられる。
【００５０】
前記導電糸とは、導電性繊維、導電性繊維の繊維束、導電性繊維を含む繊維から得られる撚糸、組み糸、紡績糸、混紡糸、金属線を極細に延伸した極細金属線、フィルムを極細の繊維状に切断した極細フィルムの総称である。
【００５１】
本発明における導電性繊維としては、例えば、金属で被覆された化学繊維または天然繊維、導電性金属酸化物で被覆された化学繊維または天然繊維、カーボン系導電性材料で被覆された化学繊維または天然繊維、導電性高分子で被覆された化学繊維または天然繊維などが挙げられる。
化学繊維としてはレーヨンやキュプラ、ポリノジックなどの再生繊維、アセテートやトリアセテート、プロミックスなどの半合成繊維、ナイロンやアラミド、ビニロン、ビニリデン、ポリエステル、アクリル、ポリエチレン、ポリプロピレン、ポリウレタン、ポリ乳酸などの合成繊維があり、天然繊維としては綿や麻などの植物繊維、羊毛や絹などの動物繊維があり、いずれか又は複数を用いることができる。
【００５２】
また、導電性繊維として、例えば、金属、導電性金属酸化物、カーボン系導電性材料、および導電性高分子よりなる群から選ばれる少なくとも１種の導電性材料を含む高分子材料を紡糸して得られた繊維を用いることができる。
【００５３】
金属としては銀、金、白金、パラジウム、銅、ニッケル、アルミニウム、亜鉛、鉛、錫などの金属、黄銅、青銅、白銅、半田などの合金などがあり、導電性金属酸化物としては、酸化インジウム、酸化錫、酸化亜鉛金属などがあり、カーボン系導電性材料としてはグラファイト、カーボン、カーボンナノチューブ、グラフェンなどがあり、導電性高分子としてはポリピロール、ポリアニリン、ポリチオフェン、ポリエチレンジオキシチオフェン、ポリ（ｐ−フェニレン）、ポリ（ｐ−フェニレンビニレン）、ポリフルオレン、ポリアセチレンがあり、いずれか又は複数を用いることができる。
【００５４】
本発明における導電性繊維の繊維束としては、例えば、前記導電性繊維のマイクロファイバーやナノファイバーなどからなる繊維束に、導電性フィラーや導電性高分子等を担持、含浸させて得られたものを用いることができる。
【００５５】
前記導電糸には、金属線を極細に延伸した極細金属線も包含される。前記導電性繊維、前記導電性繊維の繊維束、前記導電性繊維を含む繊維から得られる撚糸、組み糸、紡績糸、混紡糸、前記極細金属線の平均直径は、２５０μｍ以下が好ましく、より好ましくは１２０μｍ以下、更に好ましくは８０μｍ以下、特に好ましくは５０μｍ以下である。
【００５６】
前記導電糸には、フィルムを極細の繊維状に切断した極細フィルムも包含され、前記極細フィルムとは、金属、導電性金属酸化物、カーボン系導電性材料、および導電性高分子よりなる群から選ばれる少なくとも１種の導電性材料を被覆した高分子フィルムを幅８００μｍ以下に切断して得られた繊維状フィルムを意味する。
【００５７】
本発明における導電性ファブリックからなる電極部及び配線部には、手袋用基材との接着面側に絶縁層を有することが好ましく、接着剤層が絶縁層を兼ねても良い。また配線部には表面側に絶縁層を有することが好ましい。手袋用基材との接着面側に設ける絶縁層は、装着者の体表面電位による電気信号ノイズを抑えることが出来、また、配線部の表面側の絶縁層は他の配線部との接触を避け、導電性ファブリックの表面を保護する効果がある。絶縁層は導電性ファブリックの伸縮性を損なわないように、伸縮性を有する素材であれば特に制限されるものではないが、例えば柔軟性樹脂バインダーで例示した室温にて伸縮性を有する樹脂を用いることが出来る。
【００５８】
本発明における導電性繊維複合素材を少なくとも構成成分とする材料からなり、電極部と配線部がファブリック状に一体として形成されたファブリック（導電性ファブリック）は、伸長率１０％における伸長時の荷重が３Ｎ以上１００Ｎ以下であることが好ましい。荷重が３Ｎ未満の場合には、容易に引き伸ばされて導電性シートを手袋基材に取り付ける時にシワが入り好ましくない。一方、荷重が１００Ｎを超える場合は、被検生体の皮膚への電極部の追随性が悪化し、また、手袋を装着しにくくなり、計測時に指関節の動作が妨げられて好ましくない。
【００５９】
本発明における導電性繊維複合素材を少なくとも構成成分とする材料からなり、電極部と配線部がファブリック状に一体として形成されたファブリック（導電性ファブリック）は、伸長率２０％における電気抵抗の変化が５倍未満であることが好ましい。従来の伸縮性を有しない導電性ファブリックは伸長率２０％になるまでの段階で断線することがあり、伸長率２０％まで伸長できたとしても、抵抗変化が１０倍を超えて著しい導電性の低下を生じて、生体情報計測が困難となる。
【００６０】
本発明の被検生体情報計測用手袋型装具は、縫製前の、手袋型装具または電極部に相当する部位にマイクロファイバーを配置した手袋型装具上に、接着性絶縁層、伸縮性を有する電極部及び伸縮性を有する配線部を一体として形成しているシート又はファブリック、表面絶縁層をこの順に積層して取り付け、手袋型装具を縫製することにより調製される。本発明の被検生体情報計測用手袋型装具において、表面絶縁層で覆われていない部分が電極部となり、表面絶縁層で覆われている部分が配線部となる。
【００６１】
詳しくは、手袋の掌側および手の甲側の任意の箇所で展開した型紙を用いて、手袋用の基材を裁断し、裁断した基材に導電性ペーストを所定の形に印刷する方法（この場合接着性絶縁層はなくともよい）、或いは、予め作製しておいた電極部と配線部が一体化した導電性シート、または導電性ファブリックを裁断した基材に接着剤等で貼り合せる、又は縫い合わせる方法のいずれかを用いることが出来る。
【００６２】
本発明の被検生体情報計測用手袋型装具は、手袋の少なくとも２本の指の掌側に電極部を備え、手袋の手の甲側に電子デバイス接続用端子部を備え、電極部と端子部を電気的に接続する配線部を備え、電極部と配線部が一体として形成されていることから、指関節の動作がスムーズとなり、シワや折れ曲がりが生じることなく、電極部を被検生体の皮膚に追随させることができる。
一方、縫製後の手袋に、電極部、配線部、端子部を取り付けようとする場合、電極部や配線部にシワや折れ曲がりを生じて、被検生体の皮膚への電極部の追随性が悪化し、計測時に指関節の動作が妨げられる他、製造作業コスト上昇を招き好ましくない。
【００６３】
導電性シート、または導電性ファブリックの手袋用の基材への貼り付けには、溶剤系接着剤、無溶剤硬化系接着剤やホットメルト系接着剤を用いるが、材料には柔軟性を有することが好ましい。接着方法は、電極部及び配線部または手袋用の基材に接着剤を塗布して、半乾燥、半硬化状態とした後に圧着する方法や、電極部及び配線部と手袋用の基材の間にシート状やパウダー状のホットメルト系接着剤を挟んで熱圧着する方法、さらには電極部及び配線部に設ける絶縁層を接着剤として圧着、熱圧着する方法を用いることが出来る。
【００６４】
この様にして得られた本発明の被検生体情報計測用手袋型装具は、片手だけに装着してもよく両手に装着してもよいが、片手だけに装着することが好ましい。片手だけでも被検生体の計測は十分に可能であり、必要な電子デバイスを減らすこともできる。
【００６５】
本発明の被検生体情報計測用手袋型装具を用いた生体情報を計測する方法において、計測者が生体情報をモニターしながら電極位置をリアルタイムで探ることにより、生体情報に適した電極位置を把握することも本発明の態様に含まれる。電極位置を維持し安定した計測を継続するために、動物等の被検生体を安静な状態に保つことが好ましい。
【実施例】
【００６６】
次に、本発明の具体的実施例について説明するが、本発明はこれら実施例のものに特に限定されるものではない。なお実施例中の評価結果は以下の方法にて測定した。
【００６７】
＜導電性シートの伸長率１０％における伸長時荷重の測定＞
伸長時荷重はＪＩＳ  Ｋ７１６１−１（２０１２）プラスチック−引張特性の求め方−第１部に基づいて測定した。測定には試験片幅１５ｍｍ、試験片長さ１５０ｍｍにカットした導電性シートを用い、測定条件はチャック間距離１００ｍｍ、試験速度５０ｍｍ／分とした。
【００６８】
＜導電性シートの伸長前後の電気抵抗の測定＞
幅２．５ｃｍのチャックを２個備えた伸長試験機（手回し延伸機）を用いて、チャック間距離５．０ｃｍになるように導電性シートを挟み、長手方向に伸長率２０％まで伸長（変位量１．０ｃｍ）した。試験前後の電気抵抗はデジタルマルチメーター（横河メータ＆インスツルメンツ社製「ＹＯＫＯＧＡＷＡ  ＴＹ５３０」）を用い、対向する２個のチャックの外側（測定距離１０ｃｍ）にて伸長前後の抵抗値（Ω）を測定し、導電性シートの電気抵抗（Ω□）を得た。抵抗値の測定は伸長直後（３秒以内）に実施した。
【００６９】
実施例１
［導電性ペーストの作製］
ニトリル基含有ゴム［日本ゼオン株式会社製  商品名Ｎｉｐｏｌ ＤＮ００３、アクリロニトリルブタジエンゴム、結合アクリロニトリル５０％］２０質量部をイソホロン４５質量部に加え、約６０℃に加温しながら５時間混合攪拌して溶解させ、柔軟性樹脂バインダー溶解液を得た。次いで柔軟性樹脂バインダー溶解液に、凝集銀粉［ＤＯＷＡエレクトロニクス株式会社製  商品名Ｇ−３５、平均粒子径５．９μｍ］８０質量部を加えて均一に混合し、三本ロールミルにて分散することにより導電性ペーストを得た。
【００７０】
［導電性シートの作製］
離型処理ＰＥＴフィルム上に上記の導電性ペーストを使い、アプリケータを用いて乾燥膜厚が約８０μｍになるように塗布し、１２０℃、３０分間、熱風乾燥オーブンで乾燥することにより、離型処理ＰＥＴフィルム付き導電性シートを作製した。さらに離型処理ＰＥＴフィルムを剥離して、導電性シートの伸長率１０％における伸長時荷重、電気抵抗を測定し、伸長率１０％における伸長時荷重２６Ｎ、伸長前電気抵抗１１７Ω□、伸長率２０％時電気抵抗２４６Ω□を得た。
【００７１】
［電極部および配線部を備えた手袋の作製］
上記の離型処理ＰＥＴフィルム付き導電性シートを図３の平面図の形状（手の甲側における一端子部側から掌側の親指と人差し指側に分岐する形状、及び手の甲側における他端子部側から掌側の薬指と中指側に分岐する形状、言い換えれば、親指側の電極部（及び配線部）と人差し指側の電極部（及び配線部）が端子部方向で通電している形状、薬指側の電極部（及び配線部）と中指側の電極部（及び配線部）部が端子部方向で通電している形状）に裁断し、離型処理ＰＥＴフィルムを剥離して、導電性シートから電極部および配線部を含む導電層（図３における導電層３）（導電性シート）を形成した。次に、手袋用基材に２−Ｗａｙトリコット生地［グンセン（株）製「ＫＮＺ２７４０」、ナイロンヤーン：ウレタンヤーン＝６３％：３７％（混率）、目付け１９４ｇ／ｍ2］を用いて、図２の平面図の形状に裁断して手袋型基材（図２における手袋用基材２）を得た（指の先端〜手首までの幅２２５ｍｍ）。さらに、接着性絶縁層（図１における接着性絶縁層１）にはホットメルトウレタンシートを用い、図１の平面図の形状に裁断し、配線部を覆うための表面絶縁層（図４における表面絶縁層４）にはポリウレタンシートを用い、図４の平面図の形状に裁断した。それぞれに裁断した手袋用基材、接着性絶縁層、電極部および配線部が一体となった導電層、配線部を覆うための表面絶縁層の順に重ね合わせ、ホットプレスにて全体を熱接着し、図５の平面図の被検生体情報計測用手袋型装具（図５における被検生体情報計測用手袋型装具１０）を得た（電極部の面積：親指３．３９ｃｍ2、人差し指３．３９ｃｍ2、薬指３．３９ｃｍ2、中指３．３９ｃｍ2）。これを縫製し、図６に示す、被検生体情報計測用手袋型装具を得た。
【００７２】
得られた被検生体情報計測用手袋型装具を右手に装着し、手を開いた状態から握った状態へと繰り返したが、滑らかな動作で良好であった。さらに、動作後に親指の電極部と中指の電極部を接したまま、端子部にデジタルマルチメーターを当てたところで通電を確認できた。
得られた被検生体情報計測用手袋型装具を右手に装着し、小型犬を抱いて左手で小型犬の身体をなでつつ、右手を小型犬の腹側にまわし、胸部に電極部が触れるようにして心電測定を行った。医療用の心電測定電極を用いた場合に比較して、小型犬は温和しく、安定して心電測定を行う事ができた。
【００７３】
実施例２
掌側の親指の電極部及び配線部と手の甲側の一端子部を繋ぐ導電層、掌側の中指の電極部及び配線部と手の甲側の他端子部を繋ぐ導電層を形成すること以外は、実施例１の例に従い、被検生体情報計測用手袋型装具（図７における被検生体情報計測用手袋型装具２０）を作製した。図７に平面図を示す。親指と中指に、それぞれ電極部を有する配線部・端子部付き被検生体情報計測用手袋型装具を実施例１と同様に評価したところ、滑らかな動作を示し、通電を確認できた。また小型犬の心電測定も同様に安定して行う事ができた。
【００７４】
実施例３
掌側の親指の電極部及び配線部と手の甲側の一端子部を繋ぐ導電層、掌側の人差し指の電極部と配線部と手の甲側の他端子部を繋ぐ導電層、掌側の中指及び薬指の電極部及び配線部と手の甲側の別端子部を繋ぐ導電層を形成すること以外は、実施例１の例に従い、被検生体情報計測用手袋型装具（図８における被検生体情報計測用手袋型装具３０）を作製した。図８に平面図を示す。親指、人差し指、中指と薬指に、それぞれ電極部を有する３極型の配線部・端子部付き被検生体情報計測用手袋型装具を実施例１と同様に評価したところ、滑らかな動作を示し、通電を確認できた。また小型犬の心電測定も同様に安定して行う事ができた。
【００７５】
実施例４
実施例１において、手袋の指先４０ｍｍの掌側に、帝人株式会社製ナノフロントを用い、電極部周囲に３〜５ｍｍ幅となるように配置されたこと以外は同様に操作して被検生体情報計測用手袋型装具を得た。
得られた被検生体情報計測用手袋型装具を右手に装着し、イエネコを抱いて左手でイエネコの身体をなでつつ、右手をイエネコの腹側にまわし、胸部に電極部が触れるようにして心電測定を行った。イエネコは小型犬に比較して落ち着きが無く細かに身体を揺することがあったが、本実施例の被検生体情報計測用手袋型装具の場合には安定して心電測定を行う事ができた。
【００７６】
実施例５
実施例３において、電極部周囲の幅２ｍｍの部分に東レ株式会社製トレシーを用いた布生地を配置したこと以外は同様に実施して被検生体情報計測用手袋型装具を得た。
得られた被検生体情報計測用手袋型装具を右手に装着し、モルモットを抱き、右手をモルモットの腹側にまわし、胸部に電極部が触れるようにして心電測定を行った。小型犬、イエネコに比較して落ち着きが無く常に動こうとするモルモットであったが、本実施例の被検生体情報計測用手袋型装具の場合には安定して心電測定を行う事ができた。
【００７７】
比較例１
［導電性ペーストの作製］
ポリエステル樹脂［東洋紡株式会社製  商品名バイロン６３０］２０質量部をジエチレングリコールモノメチルエーテルアセテート４５質量部に加え、約６０℃に加温しながら５時間混合攪拌して溶解させ、樹脂バインダー溶解液を得た。次いで樹脂バインダー溶解液に、凝集銀粉［ＤＯＷＡエレクトロニクス株式会社製  商品名Ｇ-３５、平均粒子径５．９μｍ］８０質量部を加えて均一に混合し、三本ロールミルにて分散することにより導電性ペーストを得た。
【００７８】
［導電性シートの作製］
離型処理ＰＥＴフィルム上に上記の導電性ペーストを使い、アプリケータを用いて乾燥膜厚が約８０μｍになるように塗布し、１２０℃、３０分間、熱風乾燥オーブンで乾燥することにより、離型処理ＰＥＴフィルム付き導電性シートを作製した。さらに離型処理ＰＥＴフィルムを剥離して、導電性シートの伸長率１０％における伸長時荷重、電気抵抗を測定したところ、伸長率１０％における伸長時荷重１５２Ｎ、伸長前電気抵抗１２８Ω□、伸長率２０％時電気抵抗はオーバーレンジ表示であった。
【００７９】
［電極部および配線部を備えた手袋の作製］
電極部および配線部に比較例１で得た導電性シートを用いる以外は実施例１と同様にして電極部および配線部を備えた手袋を得た。得られた手袋を右手に装着し、手を開いた状態から握った状態へと繰り返したが、伸縮性が不十分なため指が強張り動作が鈍かった。また、動作後に親指の電極部と中指の電極部を接したまま、端子部にデジタルマルチメーターを当てたところでオーバーレンジ表示となり断線していた。
【産業上の利用可能性】
【００８０】
以上述べてきたように、本発明の被検生体情報計測用手袋型装具を用いることで、動物等の被検生体の生体情報を精度良く測定することが可能となる。さらに被検生体に負担をかけることなく、安静でリラックスした状態で生体情報を測定できるため、獣医による診断や、動物愛好家の愛玩動物の日常健康管理に利用することが出来る。なお、実施例では被検体として小動物などのペットについて試験を行ったが、本発明は、馬、牛のような家畜として飼育される大型動物に用いることもできる。さらに、本発明は人の心電モニターにも利用でき、救急医療現場や、上半身に着衣を付けない格闘技などのインターバルにおける素早い体調チェックなどに有用に用いる事ができる。
【符号の説明】
【００８１】
１：接着性絶縁層
２：手袋用基材
３：電極部と配線部を含む導電層（導電性シート）
３Ａ：電極部
４：表面絶縁層
５：端子部
１０、２０、３０：被検生体情報計測用手袋型装具
【図１】
2019180862.tif 000003
【図２】
2019180862.tif 000004
【図３】
2019180862.tif 000005
【図４】
2019180862.tif 000006
【図５】
2019180862.tif 000007
【図６】
2019180862.tif 000008
【図７】
2019180862.tif 000009
【図８】
2019180862.tif 000010